(57)【特許請求の範囲】
【請求項１】
燃料被覆管の内側に配置される核燃料ペレットを模擬する模擬ペレットであって、
前記燃料被覆管の内面と接触する外面を有し、第１材料で形成された外筒部と、
前記外筒部の内側に配置され、第２材料で形成された内芯部と、
を備え、
前記外筒部は、前記内芯部よりも高剛性であり、
前記内芯部は、前記外筒部よりも高比重である、
模擬ペレット。
【請求項２】
前記外筒部は、前記核燃料ペレットと同剛性又は前記核燃料ペレットよりも高剛性であり、
前記内芯部は、前記核燃料ペレットよりも高比重である、
請求項１に記載の模擬ペレット。
【請求項３】
前記外筒部は、セラミックスを含み、
前記内芯部は、タングステンを含む、
請求項１又は請求項２に記載の模擬ペレット。
【請求項４】
前記第１材料は、アルミナ、フォルステライト、ジルコニア、窒化ケイ素、炭化ケイ素、フッ素金雲母、炭素鋼、ステンレス鋼、合金鋼、タングステン、及び炭化タングステンのいずれか一つを含み、
前記第２材料は、タングステン、炭化タングステン、鉛、鉛合金、金、銀、白金、及びタンタルのいずれか一つを含む、
請求項１又は請求項２に記載の模擬ペレット。
【請求項５】
平均密度が１０［ｇ／ｃｍ３］以上１１［ｇ／ｃｍ３］以下に調整される、
請求項１から請求項４のいずれか一項に記載の模擬ペレット。
【請求項６】
前記外筒部は、前記第１材料からなる単一部材である、
請求項１から請求項５のいずれか一項に記載の模擬ペレット。
【請求項７】
燃料被覆管と、
前記燃料被覆管の内側に配置される請求項１から請求項６のいずれか一項に記載の模擬ペレットと、
を備える模擬燃料棒。
【請求項８】
前記燃料被覆管の内側に、外形が等しい前記模擬ペレットが複数設けられ、
複数の前記模擬ペレットは、第１模擬ペレットと、前記第１模擬ペレットよりも前記燃料被覆管の端部に配置され、前記外筒部の体積が前記第１模擬ペレットよりも大きい第２模擬ペレットと、を含む、
請求項７に記載の模擬燃料棒。
【請求項９】
燃料被覆管と、
前記燃料被覆管の内側に配置され、核燃料ペレットを模擬する複数の模擬ペレットと、
を備え、
複数の前記模擬ペレットは、外形が等しく、第１材料及び第２材料の少なくとも一方で形成され、
前記第１材料は、前記第２材料よりも高剛性であり、
前記第２材料は、前記第１材料よりも高比重であり、
複数の前記模擬ペレットのうち、前記燃料被覆管の端部に配置される前記模擬ペレットにおいて前記第１材料が占める体積は、前記燃料被覆管の中央部に配置される前記模擬ペレットにおいて前記第１材料が占める体積よりも大きい、
模擬燃料棒。
【請求項１０】
前記端部に配置される前記模擬ペレットは、前記第１材料のみで形成され、
前記中央部に配置される前記模擬ペレットは、前記第２材料のみで形成される、
請求項９に記載の模擬燃料棒。
【請求項１１】
複数の前記模擬ペレットのうち、少なくとも一つの前記模擬ペレットは、
前記燃料被覆管の内面と接触する外面を有し、前記第１材料で形成された外筒部と、
前記外筒部の内側に配置され、前記第２材料で形成された内芯部と、
を有する、
請求項９又は請求項１０に記載の模擬燃料棒。
【請求項１２】
請求項７から請求項１１のいずれか一項に記載の模擬燃料棒を複数備える模擬燃料集合体。
【発明の詳細な説明】
【技術分野】
【０００１】
本発明は、模擬ペレット、模擬燃料棒、及び模擬燃料集合体に関する。
【背景技術】
【０００２】
燃料集合体が収納されるキャスクは、落下時の安全性の評価が求められている。安全性の評価を行う場合、キャスク落下時の燃料集合体の変形又は破損状態を設定する必要がある。燃料集合体の変形又は破損状態を設定するための一つの方法として、燃料集合体を模擬した模擬燃料集合体を用いた落下試験による確認方法がある。ここで、放射性物質を含む燃料集合体の落下試験を行うことは試験場所の制約等の観点から困難なケースが多いため、燃料集合体を模擬した模擬燃料集合体を用意し、その模擬燃料集合体の落下試験を行って、評価に必要なデータを取得することが行われている。
【０００３】
模擬燃料集合体とは、実際の燃料棒を模擬した模擬燃料棒の集合体である。模擬燃料棒とは、実際の核燃料ペレットを模擬した模擬ペレットを燃料被覆管の内側に配置したものである（例えば、特許文献１参照）。模擬燃料集合体においては、核燃料ペレットに代えて模擬ペレットが使用されるものの、燃料被覆管をはじめとする核燃料ペレット以外の構成部材として、実際の燃料集合体と同じ部材が使用される。模擬ペレットを使用することにより、試験場所の制約等が緩和される。
【０００４】
従来の落下試験においては、模擬ペレットの重量を実際の核燃料ペレットと等価にするため、実際の核燃料ペレットと同レベルの密度を有する模擬ペレットが使用されている。模擬ペレットの材料として、比重が大きく成形が容易な鉛合金が使用される場合が多い。鉛合金の組成を調整することによって、核燃料ペレットと同レベルの密度を有する模擬ペレットが製造される。
【先行技術文献】
【特許文献】
【０００５】
【特許文献１】特開２０００−０３９４９４号公報
【発明の概要】
【発明が解決しようとする課題】
【０００６】
実際の燃料棒は、主に燃料被覆管と、燃料被覆管の内側に配置される核燃料ペレットとを有する。燃料棒を落下させた場合、落下の衝撃により燃料棒が曲げ変形し、燃料被覆管の内面と核燃料ペレットとが接触する。燃料被覆管と核燃料ペレットとの接触の発生は、燃料被覆管の構造健全性に影響を与える。そして、落下時の燃料棒の曲げ変形挙動は、燃料被覆管の内側に配置された核燃料ペレットの剛性の影響を受ける。
【０００７】
そのため、実際の燃料集合体の落下試験を模擬するためには、模擬ペレットについて、密度のみならず、剛性についても、核燃料ペレットと同レベルにする必要がある。鉛合金からなる模擬ペレットは、核燃料ペレットに比べて剛性が著しく低いため、その模擬ペレットを使って構築された模擬燃料集合体の落下試験を行うと、実際の燃料棒の変形量に比べて大きな変形量となる場合がある。
【０００８】
本発明は、実際の燃料集合体の落下試験を模擬することができる模擬ペレット、模擬燃料棒、及び模擬燃料集合体を提供することを目的とする。
【課題を解決するための手段】
【０００９】
本発明は、燃料被覆管の内側に配置される核燃料ペレットを模擬する模擬ペレットであって、外径及び長さ寸法は核燃料ペレットと等しく、前記燃料被覆管の内面と接触する外面を有し、第１材料で形成された外筒部と、前記外筒部の内側に配置され、第２材料で形成された内芯部と、を備え、前記外筒部は、前記内芯部よりも高剛性であり、前記内芯部は、前記外筒部よりも高比重である、模擬ペレットを提供する。
【００１０】
本発明によれば、模擬ペレットを第１材料の外筒部と第２材料の内芯部とからなる２層構造とし、第１材料として高剛性材料を使用し、第２材料として高比重材料を使用することにより、実際の核燃料ペレットと同レベルの剛性及び密度を有する模擬ペレットが提供される。模擬ペレットを使って構築された模擬燃料集合体の落下試験において、実際の燃料集合体の落下試験を模擬するためには、密度のみならず剛性も核燃料ペレットと同レベルの模擬ペレットを使用する必要がある。燃料被覆管と接触する外筒部を、核燃料ペレットの剛性と同レベルの高剛性の第１材料で形成し、燃料被覆管と接触しない内芯部を、高比重の第２材料で形成して模擬ペレットの全体重量（平均密度）を核燃料ペレットの全体重量と同レベルにすることにより、燃料集合体の落下試験を模擬することができ、実際の燃料棒の挙動の評価を適切に行うことができる。また、模擬ペレットを２層構造とすることにより、試験の内容に応じて第１，第２材料を選択したり、外筒部と内芯部との体積比率（重量比率）を調整したりすることによって、模擬ペレットは、必要な剛性及び全体重量を得ることができる。
【００１１】
本発明において、前記外筒部は、前記核燃料ペレットと同剛性又は前記核燃料ペレットよりも高剛性であり、前記内芯部は、前記核燃料ペレットよりも高比重であることが好ましい。
【００１２】
外筒部を核燃料ペレットよりも高剛性にすることにより、実際の核燃料ペレットが燃料被覆管に与えるダメージよりも大きいダメージを燃料被覆管に与えることができ、厳しい試験条件で燃料被覆管健全性を評価することができる。また、外筒部を核燃料ペレットと同剛性にすることにより、実際の核燃料ペレットが燃料被覆管に与えるダメージと同レベルのダメージを燃料被覆管に与えることができ、核燃料ペレットが燃料被覆管に接触したときの燃料棒の挙動を再現することができる。内芯部を核燃料ペレットよりも高比重にすることにより、模擬ペレット全体として核燃料ペレットの重量を模擬することができる。
【００１３】
本発明において、前記外筒部は、セラミックスを含み、前記内芯部は、タングステンを含むことが好ましい。
【００１４】
外筒部がセラミックスで形成されることにより、核燃料ペレットと同レベルの剛性を得ることができる。また、内芯部が高比重なタングステンで形成されることにより、模擬ペレットは、核燃料ペレットと同レベルの全体重量を得ることができる。
【００１５】
本発明において、前記第１材料は、アルミナ、フォルステライト、ジルコニア、窒化ケイ素、炭化ケイ素、フッ素金雲母、炭素鋼、ステンレス鋼、合金鋼、タングステン、及び炭化タングステンのいずれか一つを含み、前記第２材料は、タングステン、炭化タングステン、鉛、鉛合金、金、銀、白金、及びタンタルのいずれか一つを含むことが好ましい。
【００１６】
これらの第１材料は、核燃料ペレットと同剛性又は前記核燃料ペレットよりも高剛性を有する。また、これらの第２材料は、核燃料ペレットよりも比重が高い。したがって、これらの第１，第２材料を使用することにより、核燃料ペレットの剛性及び全体重量を再現することができる。
【００１７】
本発明において、平均密度が１０［ｇ／ｃｍ３］以上１１［ｇ／ｃｍ３］以下に調整されることが好ましい。
【００１８】
二酸化ウランの理論密度は、１０．９６［ｇ／ｃｍ３］程度であると言われている。一方、実際の核燃料ペレットは、粒径が５［μｍ］以上１０［μｍ］以下の多結晶焼結体であり、その実際密度は、通常理論密度の９５［％］以上９７［％］以下であると言われている。したがって、模擬ペレットの平均密度（外筒部と内芯部とを合わせた全体密度）は、核燃料ペレットの実際密度に合わせて、１０［ｇ／ｃｍ３］以上１１［ｇ／ｃｍ３］以下であることが好ましい。
【００１９】
本発明において、前記外筒部は、前記第１材料からなる単一部材であることが好ましい。
【００２０】
落下試験においては、燃料被覆管の内面と外筒部とが接触し、外筒部に力が加わる。外筒部が複数の部材から構成される場合、落下試験において、外筒部の部材接続部に亀裂が生じたり、外筒部が部材接続部を起点として破損したりする可能性が高くなる。外筒部を単一部材とすることによって、落下試験において、実際の核燃料ペレットには生じない外筒部材の接続部における亀裂や破損が抑制される。
【００２１】
本発明は、燃料被覆管と、前記燃料被覆管の内側に配置される上記の模擬ペレットと、を備える模擬燃料棒を提供する。
【００２２】
本発明によれば、実際の燃料集合体の落下試験又は実際の燃料棒の落下試験を模擬することができる。
【００２３】
本発明において、前記燃料被覆管の内側に、外形が等しい前記模擬ペレットが複数設けられ、複数の前記模擬ペレットは、第１模擬ペレットと、前記第１模擬ペレットよりも前記燃料被覆管の端部に配置され、前記外筒部の体積が前記第１模擬ペレットよりも大きい第２模擬ペレットと、を含むことが好ましい。
【００２４】
模擬燃料棒の中央部よりも端部を下方に向けて落下させる落下試験においては、模擬燃料棒の端部は中央部よりも大きく曲げ変形する。第１模擬ペレットと第２模擬ペレットとは外形が等しく、第２模擬ペレットの外筒部の体積は第１模擬ペレットの外筒部の体積よりも大きい。すなわち、第２模擬ペレットは、第１模擬ペレットに比べて、外筒部の占める割合が大きい。そのため、剛性に関しては、第２模擬ペレットの方が、第１模擬ペレットよりも、実際の核燃料ペレットに近似する。実際の核燃料ペレットと同レベルの剛性を有する第２模擬ペレットを、落下試験において大きく曲げ変形する燃料被覆管の端部に配置することにより、模擬燃料棒は、落下時の燃料棒の曲げ変形挙動をより忠実に再現することができる。一方、全体重量に関しては、第１模擬ペレットの方が、第２模擬ペレットよりも、大きい。そのため、模擬燃料棒全体として、実際の燃料棒の重量を再現することができる。
【００２５】
本発明は、燃料被覆管と、前記燃料被覆管の内側に配置され、核燃料ペレットを模擬する複数の模擬ペレットと、を備え、複数の前記模擬ペレットは、外形が等しく、第１材料及び第２材料の少なくとも一方で形成され、前記第１材料は、前記第２材料よりも高剛性であり、前記第２材料は、前記第１材料よりも高比重であり、複数の前記模擬ペレットのうち、前記燃料被覆管の端部に配置される前記模擬ペレットにおいて前記第１材料が占める体積は、前記燃料被覆管の中央部に配置される前記模擬ペレットにおいて前記第１材料が占める体積よりも大きい、模擬燃料棒を提供する。
【００２６】
本発明によれば、燃料棒が、剛性及び比重が異なる少なくとも２種類の模擬ペレットで構成されるので、実際の燃料棒の特定部位と同レベルの剛性及び実際の燃料棒と同レベルの全体重量を有する模擬燃料棒が提供される。そのため、実際の燃料集合体の落下試験又は実際の燃料棒の落下試験を模擬することができる。また、少なくとも２種類の模擬ペレットを使用することにより、試験の内容に応じて第１，第２模擬ペレットを選択したり、第１，第２模擬ペレットの比率を調整したりすることによって、模擬燃料棒は、必要な剛性及び全体重量を得ることができる。
【００２７】
本発明において、前記端部に配置される前記模擬ペレットは、前記第１材料のみで形成され、前記中央部に配置される前記模擬ペレットは、前記第２材料のみで形成されることが好ましい。
【００２８】
模擬燃料棒の中央部よりも端部を下方に向けて落下させる落下試験においては、模擬燃料棒の端部は中央部よりも大きく曲げ変形する。端部に配置される模擬ペレットは、高剛性の第１材料のみで形成されており、剛性に関しては、端部に配置される模擬ペレットの方が、中央部に配置される模擬ペレットよりも、実際の核燃料ペレットに近似する。実際の核燃料ペレットと同レベルの剛性を有する模擬ペレットを、落下試験において大きく曲げ変形する燃料被覆管の端部に配置することにより、模擬燃料棒は、落下時の燃料棒の曲げ変形挙動をより忠実に再現することができる。一方、中央部に配置される模擬ペレットは、高比重の第２材料のみで形成されており、模擬燃料棒全体として、実際の燃料棒の重量を再現することができる。また、模擬ペレットが、第１材料のみ又は第２材料のみで形成されることにより、模擬ペレットの製造コストが抑制される。
【００２９】
本発明において、複数の前記模擬ペレットのうち、少なくとも一つの前記模擬ペレットは、前記燃料被覆管の内面と接触する外面を有し、前記第１材料で形成された外筒部と、前記外筒部の内側に配置され、前記第２材料で形成された内芯部と、を有してもよい。
【００３０】
模擬ペレットが、第１材料で形成される外筒部と第２材料で形成される内芯部とを有することにより、実際の核燃料ペレットと同レベルの剛性及び密度を有する模擬ペレットが提供されるため、模擬燃料棒は、実際の燃料棒の剛性及び全体重量を再現することができる。
【００３１】
本発明は、上記の模擬燃料棒を複数備える模擬燃料集合体を提供する。
【００３２】
本発明によれば、実際の燃料集合体の落下試験を模擬することができ、実際の燃料棒及び燃料集合体の挙動を把握し、キャスクの安全性の評価を適切に行うことができる。
【発明の効果】
【００３３】
本発明によれば、実際の燃料集合体の落下試験を模擬することができる模擬ペレット、模擬燃料棒、及び模擬燃料集合体が提供される。
【図面の簡単な説明】
【００３４】
【図１】図１は、第１実施形態に係る模擬燃料集合体の一例を示す構成図である。
【図２】図２は、第１実施形態に係る模擬燃料集合体の一例を示す断面図である。
【図３】図３は、第１実施形態に係る模擬燃料棒の一例を示す図である。
【図４】図４は、第１実施形態に係る模擬ペレットの一例を示す側断面図である。
【図５】図５は、第１実施形態に係る模擬ペレットの一例を示す平面図である。
【図６】図６は、第１実施形態に係る落下試験時の模擬燃料棒の挙動の一例を模式的に示す図である。
【図７】図７は、第１実施形態に係る落下試験時の模擬燃料棒の挙動の一例を模式的に示す図である。
【図８】図８は、第２実施形態に係る模擬燃料棒の一例を模式的に示す図である。
【図９】図９は、模擬ペレットの変形例を示す図である。
【図１０】図１０は、模擬ペレットの変形例を示す図である。
【図１１】図１１は、模擬ペレットの変形例を示す図である。
【図１２】図１２は、第３実施形態に係る模擬燃料棒の一例を模式的に示す図である。
【発明を実施するための形態】
【００３５】
以下、本発明に係る実施形態について図面を参照しながら説明するが、本発明はこれに限定されない。以下で説明する各実施形態の構成要素は、適宜組み合わせることができる。また、一部の構成要素を用いない場合もある。
【００３６】
＜第１実施形態＞
第１実施形態について説明する。図１は、本実施形態に係る模擬燃料集合体１の一例を模式的に示す構成図である。図２は、本実施形態に係る模擬燃料集合体１の断面図である。図１及び図２に示すように、模擬燃料集合体１は、複数の模擬燃料棒２と、制御棒３が挿入される制御棒案内管４と、炉内計装用検出器５が挿入される炉内計装用案内管６と、これらを束ねるグリッド７とを備えている。また、模擬燃料集合体１は、模擬燃料棒２の軸方向に関して上部に設けられた上部ノズル８と、軸方向に関して下部に設けられた下部ノズル９とを備えている。上部ノズル８及び下部ノズル９は、制御棒案内管４、及び炉内計装用案内管６の軸方向の上端部及び下端部を固定する。
【００３７】
図３は、本実施形態に係る模擬燃料棒２の一例を示す図であって、一部を切断して表わした図である。模擬燃料棒２は、円筒形状の燃料被覆管１０と、燃料被覆管１０の内側に配置され、核燃料ペレットを模擬する複数の模擬ペレット２０とを備えている。模擬ペレット２０は、燃料被覆管１０の内側において、燃料被覆管１０の軸方向に複数配置される。複数の模擬ペレット２０の外形は、等しい。また、模擬燃料棒２は、最も上側に配置される模擬ペレット２０を抑えるスプリング１１と、燃料被覆管１０の上端部を塞ぐ上部端栓１２と、燃料被覆管１０の下端部を塞ぐ下部端栓１３とを備えている。スプリング１１により、輸送中や取扱い中の模擬ペレット２０の移動を防止する。
【００３８】
図４は、本実施形態に係る模擬ペレット２０の一例を示す側断面図である。図５は、本実施形態に係る模擬ペレット２０の一例を示す平面図である。模擬ペレット２０は、燃料被覆管１０の内側に配置される核燃料ペレットを模擬する。核燃料ペレットは、二酸化ウランのような原子材料の粉末を圧縮成型し、水素雰囲気中又は水素と窒素と混合雰囲気中で焼結した後、円柱形状に成形したものである。すなわち、核燃料ペレットは、セラミックス体である。模擬ペレット２０は、重量が核燃料ペレットと同レベルとなり、燃料被覆管１０の内面と接触する部分の剛性が核燃料ペレットと同レベルとなるように製造される。
【００３９】
模擬ペレット２０は、燃料被覆管１０の内面と接触する外面２０Ｓを有し、第１材料で形成された外筒部２１と、外筒部２１の内側に配置され、第２材料で形成された内芯部２２とを備えている。外筒部２１は、第１材料からなる単一部材である。内芯部２２は、第２材料からなる単一部材である。外筒部２１は、円筒形状であり、内芯部２２は、円柱形状である。外筒部２１の中心と内芯部２２の中心とは一致する。模擬ペレット２０は、２層同芯構造である。
【００４０】
外筒部２１は、内芯部２２よりも高剛性である。内芯部２２は、外筒部２１よりも高比重である。外筒部２１は、核燃料ペレットと同剛性である。内芯部２２は、核燃料ペレットよりも高比重である。
【００４１】
外筒部２１を形成する第１材料として、アルミナ、フォルステライト、ジルコニア、窒化ケイ素、炭化ケイ素、フッ素金雲母、炭素鋼、ステンレス鋼、合金鋼、タングステン、及び炭化タングステンの少なくとも一つが例示される。
【００４２】
内芯部２２を形成する第２材料として、タングステン、炭化タングステン、鉛、鉛合金、金、銀、白金、及びタンタルの少なくとも一つが例示される。
【００４３】
本実施形態においては、外筒部２１は、第１材料のうち、アルミナ、フォルステライト、ジルコニア、窒化ケイ素、炭化ケイ素、及びフッ素金雲母のいずれか一つのセラミックス体である。内芯部２２は、タングステン又は炭化タングステンで形成される。
【００４４】
外筒部２１は、第１材料の円柱形状のセラミックス体を形成し、そのセラミックス体の中心部をドリルで孔あけ加工することによって製造される。又はドリルを用いずに、型を用いて円筒形状に成形して外筒部２１を製造しても良い。円筒形状の外筒部２１が製造された後、その外筒部２１の内側に、第２材料からなる円柱形状の内芯部２２を嵌め込むことによって、模擬ペレット２０が製造される。外筒部２１と内芯部２２とは、焼嵌め又は冷嵌めのような外筒部２１と内芯部２２との熱膨張量差を利用して固定されてもよいし、接着剤を使って固定されてもよい。
【００４５】
二酸化ウランの理論密度は、１０．９６［ｇ／ｃｍ３］程度であると言われている。一方、実際の核燃料ペレットは、粒径が５［μｍ］以上１０［μｍ］以下の多結晶焼結体であり、その実際の密度は、通常理論密度の９５［％］以上９７［％］以下であると言われている。したがって、核燃料ペレットの密度は、１０．４１２［ｇ／ｃｍ３］以上１０．６３１２［ｇ／ｃｍ３］以下である。
【００４６】
第２材料の密度は、核燃料ペレットの密度よりも大きい。例えば、タングステンの密度は、１９．３［ｇ／ｃｍ３］であり、炭化タングステンの密度は、１５．６３［ｇ／ｃｍ３］であり、鉛の密度は、１１．３６［ｇ／ｃｍ３］であり、金の密度は、１９．３２［ｇ／ｃｍ３］であり、銀の密度は、１０．４９［ｇ／ｃｍ３］であり、白金の密度は、２１．４５［ｇ／ｃｍ３］であり、タンタルの密度は、１６．６［ｇ／ｃｍ３］である。
【００４７】
一方、第１材料の密度は、核燃料ペレットの密度よりも小さい。本実施形態においては、模擬ペレット２０の平均密度（外筒部２１と内芯部２２とを合わせた全体密度）が、核燃料ペレットの密度と同レベルになるように、第１材料からなる外筒部２１と第２材料からなる内芯部２２との比率（体積比率）が調整される。本実施形態においては、模擬ペレット２０の平均密度が、１０［ｇ／ｃｍ３］以上１１［ｇ／ｃｍ３］以下になるように、外筒部２１と内芯部２２との比率が調整される。
【００４８】
次に、模擬ペレット２０を使って構築された模擬燃料集合体１の落下試験の一例について説明する。本実施形態においては、模擬燃料棒２の軸方向に関して、模擬燃料集合体１（模擬燃料棒２）の中央部よりも下端部を下方に向けて落下させる落下試験が実施される。すなわち、落下試験においては、図１の矢印で示すように、模擬燃料集合体１は、下部ノズル９が上部ノズル８よりも下方に配置された状態で、落下する。
【００４９】
図６は、模擬燃料集合体１の落下試験における、模擬燃料棒２の挙動を模式的に示す図である。落下の衝撃により、模擬燃料棒２の少なくとも一部が曲げ変形する。図６に示すように、模擬燃料棒２の下端部が中央部よりも下方に向けられた状態で模擬燃料棒２が落下した場合、模擬燃料棒２の中央部よりも下端部のほうが、大きく曲げ変形する。
【００５０】
図７は、模擬燃料棒２が曲げ変形したときの燃料被覆管１０と模擬ペレット２０との関係を模式的に示す図である。落下により燃料被覆管１０が曲がると、燃料被覆管１０と模擬ペレット２０との相対位置が変化し、模擬ペレット２０の外面２０Ｓの一部（特に角部）との接触力が増大する。燃料被覆管１０は、模擬ペレット２０からダメージを受ける。
【００５１】
本実施形態においては、核燃料ペレットと同レベルの剛性を有する外筒部２１に、燃料被覆管１０の内面と接触する模擬ペレット２０の外面２０Ｓが設けられている。換言すれば、模擬ペレット２０のうち、核燃料ペレットと同レベルの剛性を有する外筒部２１が、燃料被覆管１０の内面と接触する。
【００５２】
落下時の実際の燃料棒の曲げ変形挙動は、燃料被覆管１０の内側の核燃料ペレットの剛性に影響されると考えられる。本実施形態においては、模擬ペレット２０のうち、燃料被覆管１０の内面と接触する部分が、核燃料ペレットと同レベルの剛性なので、落下時の実際の燃料棒の曲げ変形挙動を、模擬燃料棒２を使って再現することができる。
【００５３】
また、外筒部２１の剛性は、核燃料ペレットの剛性と同レベル（同剛性）なので、実際の核燃料ペレットが燃料被覆管１０に与えるダメージと同レベルのダメージを燃料被覆管１０に与えることができ、核燃料ペレットが燃料被覆管１０に接触したときの燃料棒の挙動を再現することができる。
【００５４】
以上説明したように、本実施形態によれば、模擬ペレット２０を第１材料の外筒部２１と第２材料の内芯部２２とからなる２層構造とし、第１材料として高剛性材料を使用し、第２材料として高比重材料を使用することにより、実際の核燃料ペレットと同レベルの剛性及び密度を有する模擬ペレット２０を提供することができる。
【００５５】
燃料被覆管１０と接触する外筒部２１を、核燃料ペレットの剛性と同レベルの剛性の第１材料で形成することにより、落下時の燃料棒の曲げ変形挙動を、模擬燃料棒２を使って再現することができる。また、実際の核燃料ペレットが燃料被覆管１０に与えるダメージと同レベルのダメージを燃料被覆管１０に与えることができ、核燃料ペレットが燃料被覆管１０に接触したときの燃料棒の挙動を再現することができる。
【００５６】
第１材料の比重は、核燃料ペレットの比重よりも小さい。燃料被覆管１０と接触しない内芯部２２を、高比重の第２材料で形成することにより、模擬ペレット２０の全体重量（平均密度）を核燃料ペレットの全体重量と同レベルにすることができる。これにより、剛性のみならず、重量に関しても、核燃料ペレットを再現することができる。
【００５７】
したがって、実際の燃料棒及び燃料集合体の落下試験を模擬することができ、実際の燃料棒及び燃料集合体の挙動を把握し、キャスクの安全性の評価を適切に行うことができる。
【００５８】
また、模擬ペレット２０を２層構造とすることにより、試験の内容に応じて第１，第２材料を選択したり、外筒部２１と内芯部２２との比率（重量比率、体積比率）を調整したりすることによって、模擬ペレット２０は、必要な剛性及び全体重量を得ることができる。
【００５９】
また、本実施形態においては、外筒部２１は、第１材料のうち、アルミナ、フォルステライト、ジルコニア、窒化ケイ素、炭化ケイ素、及びフッ素金雲母のいずれか一つのセラミックスを含み、内芯部２２は、タングステンを含む。外筒部２１がセラミックスで形成されることにより、核燃料ペレットと同レベルの剛性を得ることができる。また、内芯部２２が高比重なタングステンで形成されることにより、模擬ペレット２０は、核燃料ペレットと同レベルの全体重量を得ることができる。
【００６０】
また、本実施形態においては、外筒部２１は、第１材料からなる単一部材である。図６を参照して説明したように、落下試験においては、燃料被覆管１０の内面と外筒部２１との接触力が増大する。外筒部２１が複数の部材から構成される場合、落下試験において、外筒部２１の部材接続部において亀裂が生じたり、外筒部２１が部材接続部を起点として破損したりする可能性が高くなる。外筒部２１を単一部材とすることによって、落下試験において、実際の核燃料ペレットには生じない外筒部２１での部材接続部における亀裂や破損が抑制される。
【００６１】
なお、本実施形態においては、外筒部２１は、核燃料ペレットと同剛性であることとした。外筒部２１は、核燃料ペレットよりも高剛性でもよい。外筒部２１を核燃料ペレットよりも高剛性にすることにより、実際の核燃料ペレットが燃料被覆管１０に与えるダメージよりも大きいダメージを燃料被覆管１０に与えることができ、厳しい試験条件で燃料被覆管１０を評価することができる。また、内芯部２２の剛性が著しく低くても、外筒部２１を核燃料ペレットよりも高剛性にすることにより、模擬ペレット２０全体として核燃料ペレットの剛性を模擬することができる。
【００６２】
＜第２実施形態＞
第２実施形態について説明する。本実施形態においては、外筒部２１と内芯部２２との体積比率が、模擬ペレット２０毎に異なる例について説明する。
【００６３】
図８は、本実施形態に係る模擬燃料棒２の一例を模式的に示す図である。上述の第１実施形態と同様、燃料被覆管１０の内側には、外形が等しい模擬ペレット２０が模擬燃料棒２の軸方向に複数設けられる。
【００６４】
模擬燃料棒２の軸方向に関して、燃料被覆管１０の中央部に配置される模擬ペレット２０を第１模擬ペレット２０Ａと称し、下端部に配置される模擬ペレット２０を第２模擬ペレット２０Ｂと称した場合、第２模擬ペレット２０Ｂの外筒部２１の体積は、第１模擬ペレット２０Ａの外筒部２１の体積よりも大きい。換言すれば、第２模擬ペレット２０Ｂは、第１模擬ペレット２０Ａに比べて、外筒部２１（第１材料）が占める割合（体積）が大きい。そのため、剛性に関しては、第２模擬ペレット２０Ｂの方が、第１模擬ペレット２０Ａよりも、実際の核燃料ペレットに近似する。
【００６５】
上述のように、模擬燃料棒２の中央部よりも端部を下方に向けて落下させる落下試験においては、模擬燃料棒２の端部は中央部よりも大きく曲げ変形する。実際の核燃料ペレットと同レベルの剛性を有する第２模擬ペレット２０Ｂを、落下試験において大きく曲げ変形する燃料被覆管１０の下端部に配置することにより、模擬燃料棒２は、落下時の燃料棒の曲げ変形挙動を忠実に再現することができる。一方、重量に関しては、第１模擬ペレット２０Ａの方が、第２模擬ペレット２０Ｂよりも大きい。第１材料の比重は、核燃料ペレットの比重よりも小さく、第２材料の比重は、核燃料ペレットの比重よりも大きいので、第２模擬ペレット２０Ｂの第１材料の割合を多くした分、第１模擬ペレット２０Ａの第２材料の割合を多くすることによって、模擬燃料棒２全体として、実際の燃料棒の重量を再現することができる。
【００６６】
（第１，第２実施形態の変形例）
なお、上述の第１，第２実施形態においては、外筒部２１が円筒形状であり、内芯部２２が円柱形状である２層同芯構造であることとした。内芯部２２は、円筒形状でもよい。また、図９に示すように、外筒部２１が、円筒部２１１と、底部２１２とを有してもよい。また、図１０に示すように、外筒部２１が、円筒部２１１と、底部２１２と、開口２１３Ｋを有する天部２１３とを有してもよい。図１０に示す例においては、内芯部２２は、開口２１３Ｋから外筒部２１の内部に第２材料を鋳込むことによって製造される。また、図１１に示すように、外筒部２１が２つ設けられていてもよい。
【００６７】
＜第３実施形態＞
第３実施形態について説明する。本実施形態においては、燃料被覆管１０に、第１材料のみで形成された模擬ペレットと、第２材料のみで形成された模擬ペレットとが配置される例について説明する。
【００６８】
図１２は、本実施形態に係る模擬燃料棒２の一例を模式的に示す図である。上述の第１，第２実施形態と同様、燃料被覆管１０の内側には、外形が等しい模擬ペレット２０が模擬燃料棒２の軸方向に複数設けられる。
【００６９】
模擬燃料棒２の軸方向に関して、燃料被覆管１０の中央部に配置される模擬ペレット２０を第３模擬ペレット２０Ｃと称し、下端部に配置される模擬ペレット２０を第４模擬ペレット２０Ｄと称した場合、下端部に配置される第４模擬ペレット２０Ｄは、第１材料のみで形成され、中央部に配置される第３模擬ペレット２０Ｃは、第２材料のみで形成される。
【００７０】
剛性に関しては、下端部に配置される第４模擬ペレット２０Ｄの方が、中央部に配置される第３模擬ペレット２０Ｃよりも、実際の核燃料ペレットに近似する。実際の核燃料ペレットと同レベルの剛性を有する第４模擬ペレット２０Ｄを、落下試験において大きく曲げ変形する燃料被覆管１０の下端部に配置することにより、模擬燃料棒１０は、落下時の燃料棒の曲げ変形挙動を忠実に再現することができる。一方、中央部に配置される第３模擬ペレット２０Ｃは、高比重の第２材料のみで形成されており、模擬燃料棒２全体として、実際の燃料棒の重量を再現することができる。また、模擬ペレット２０が、第１材料のみ又は第２材料のみで形成されることにより、模擬ペレット２０の製造コストが抑制される。
【００７１】
なお、上述の各実施形態において、模擬燃料集合体１は、使用済燃料集合体を模擬するものでもよいし、新燃料集合体を模擬するものでもよい。
【００７２】
なお、上述の各実施形態においては、燃料被覆管１０の内側に外径及び長さ寸法が等しい模擬ペレットが複数設けられることとした。外径及び長さ寸法が異なる模擬ペレットが燃料被覆管１０に複数配置されてもよい。例えば、落下時の変形が大きい模擬燃料棒２の端部に外径が大きい模擬ペレットが配置され、落下時の変形が端部に比べて小さい模擬燃料棒２の中央部に外径が小さい模擬ペレットが配置されてもよい。外径が大きい模擬ペレットは、外径が小さい模擬ペレットに比べて、燃料被覆管１０の内面との間隙が小さく、模擬燃料棒２の小さい変形で燃料被覆管１０の内面と接触するため、燃料被覆管１０に与えるダメージが大きい。そのため、外径が大きい模擬ペレットが、落下時の変形が大きい燃料被覆管１０の端部に配置されることが好ましい。一方、制作のし易さの観点から、落下時の変形が小さい模擬燃料棒２の中央部には、燃料被覆管１０の内面との間隙が大きい、外径が小さい模擬ペレットが配置されることが好ましい。
【符号の説明】
【００７３】
１  模擬燃料集合体
２  模擬燃料棒
３  制御棒
４  制御棒案内管
５  炉内計装用検出器
６  炉内計装用案内管
７  グリッド
８  上部ノズル
９  下部ノズル
１０  燃料被覆管
１１  スプリング
１２  上部端栓
１３  下部端栓
２０  模擬ペレット
２０Ａ  第１模擬ペレット
２０Ｂ  第２模擬ペレット
２０Ｃ  第３模擬ペレット
２０Ｄ  第４模擬ペレット
２０Ｓ  外面
２１１  円筒部
２１２  底部
２１３  天部
２１３Ｋ  開口
【図１】
0006516659.tif 000002
【図２】
0006516659.tif 000003
【図３】
0006516659.tif 000004
【図４】
0006516659.tif 000005
【図５】
0006516659.tif 000006
【図６】
0006516659.tif 000007
【図７】
0006516659.tif 000008
【図８】
0006516659.tif 000009
【図９】
0006516659.tif 000010
【図１０】
0006516659.tif 000011
【図１１】
0006516659.tif 000012
【図１２】
0006516659.tif 000013